(57)【要約】【課題】オイルの吸入口および吐出口を備えたケース２の内部に濾材５を配置してなるオイルストレーナ１であって、前記ケース２を形成する一対のケース部材６，７に濾材挟着部１１を設け、前記挟着部１１に濾材５の外周重ね合わせ部５ｂを挟み込んでなるオイルストレーナ１において、濾材５が挟着部１１から抜け出るのを防止することができ、しかも濾材５の内側の集束した異物が濾材５の外周重ね合わせ部５ｂから流出するのを防止することができるオイルストレーナを提供する。【解決手段】濾材５の重ね合わせ部５ｂを溶融一体化して該部に厚みを増大させた抜け止め係合部１９を設け、抜け止め係合部１９を挟着部１１の外側に配置して挟着部１１に対して抜け止め係合させる。【選択図】図２
2006205047.tif 000002
【特許請求の範囲】
【請求項１】
オイルの吸入口（３）および吐出口（４）を備えたケース（２）の内部に濾材（５）を配置したオイルストレーナ（１）であって、前記ケース（２）を形成する一対のケース部材（６）（７）に濾材挟着部（１１）を設け、前記挟着部（１１）に前記濾材（５）の外周重ね合わせ部（５ｂ）を挟み込んでなるオイルストレーナ（１）において、
前記濾材（５）の重ね合わせ部（５ｂ）を溶融一体化して該部に厚みを増大させた抜け止め係合部（１９）を設け、前記抜け止め係合部（１９）を前記挟着部（１１）の外側に配置して前記挟着部（１１）に対して抜け止め係合したことを特徴とするオイルストレーナ。
【発明の詳細な説明】
【技術分野】
【０００１】
本発明は、自動車等車両の自動変速機（ＡＴ）におけるオイル循環系等に用いられるオイルストレーナに関するものである。
【背景技術】
【０００２】
従来から、図６および図７に示すオイルストレーナ５１が知られており、以下のように構成されている。
【０００３】
すなわち先ず、オイルの吸込口５３および吐出口５４を備えた中空のケース５２が設けられ、このケース５２の内部にフィルタとして機能する不織布等よりなる濾材５５が配置されて、ケース５２の内部を吸込口５３から吐出口５４へと流れるオイルに含まれるスケール等の異物を濾過するようになっている。
【０００４】
上記ケース５２は、吸込口５３を設けた樹脂製の下側ケース部材５６と、吐出口５４を設けた樹脂製の上側ケース部材５７との組み合わせよりなり、この上下のケース部材５６，５７がその周縁部において互いに溶着されることにより一体化されている。このため両ケース部材５６，５７の周縁部には、上側ケース部材５７に設けた溶着用凸部５９と、下側ケース部材５６に設けた溶着用凹部６０との組み合わせよりなる溶着部５８が設けられている。
【０００５】
また、溶着部５８の内側（図７において右側）には、両ケース部材５６，５７間に濾材５５の周縁部を挟み込むための濾材挟着部６１が設けられ、この挟着部６１は、両ケース部材５６，５７にそれぞれ設けた挟着用凸部６２，６３の組み合わせよりなる。一対の挟着用凸部６２，６３は互いに対向し、かつ両凸部６２，６３間には、濾材５５を挟み込むための所定の間隙ｃが設定されている。
【０００６】
上記濾材５５は、例えば不織布よりなる平面状シート材を二つ折りにして、その折り返し端部（図示せず）とは反対側の開放端部（図示せず）と左右両側の側辺部５５ａとを両ケース部材５６，５７の溶着時に挟着用凸部６２，６３間に挟み込んで袋状とされるものであって、このように袋状とされる濾材５５が吸込口５３から吐出口５４へと向かうケース５２内部の流路を遮るように配置されている。したがってこの袋状の濾材５５によりケース５２内部の空間は、濾材５５の内側空間６４と外側空間６５とに仕切られている。
【０００７】
また、この袋状の濾材５５の内側空間６４へ吸込口５３からオイルを直接導入することができるように濾材５５の下面部には透孔６６が設けられており、この透孔６６はその周縁部６６ａが、吸込口５３の内側に設けたフランジ部６７に固定されている。
【０００８】
上記構成のオイルストレーナ５１を組み立てるに際しては先ず、濾材５５の透孔周縁部６６ａを下側ケース部材５６の吸込口５３の内側に設けたフランジ部６７に固定する。次いで、平面状シート材よりなる濾材５５を二つ折りにしてその開放端部および左右両側の側辺部５５ａよりなる外周重ね合わせ部を両ケース部材５６，５７の挟着用凸部６２，６３間に挟み込み、この状態で両ケース部材５６，５７を溶着部５８において溶着する。したがって両ケース部材５６，５７は溶着部５８にて互いに溶着され、濾材５５はその外周重ね合わせ部が両ケース部材５６，５７の挟着用凸部６２，６３間に挟み込まれることにより両ケース部材５６，５７に対して固定される。
【０００９】
しかしながら、上記従来技術には、以下のような不都合がある。
【００１０】
すなわち、上記従来技術においては、両ケース部材５６，５７に対する濾材５５の外周重ね合わせ部の固定が、挟着用凸部６２，６３による挟み込みの摩擦力を利用するものとされていることから、挟着用凸部６２，６３間に設定する間隙ｃが大き過ぎると、濾材５５を固定する挟み込み力が小さくなり、よって濾材５５に大きな抜け荷重（負圧など）が作用したときに濾材５５が挟着用凸部６２，６３間からケース５の内部へと抜け出てしまう虞がある。
【００１１】
また従来、上記濾材５５の抜けを防止するため、図８に示すように、上下のケース部材５６，５７にそれぞれ尖端突起７１を設け、この尖端突起７１を濾材５５に差し込んで貫通させることにより濾材５５を抜け止めする技術が開発されており、この技術によれば、突起７１の差し込みによる機械的係合によって濾材５５を抜け止めすることから、或る程度の抜け止め力を発揮することが可能とされている（特許文献１参照）。
【００１２】
しかしながら、この従来技術においては、突起７１の差し込みにより濾材５５の平面上に孔５５ｂが開けられることから、濾材５５に大きな抜け荷重（負圧など）が作用したときに孔５５ｂの周縁部に引張り応力が集中し、よってこれを原因として、濾材５５が孔５５ｂの周縁部から破れて破損することがある。
【００１３】
また、別の抜け防止策として、図９に示すように、上下のケース部材５６，５７に設けた挟着用凸部６２，６３の先端を溶着時につぶすことによって抜け止め力を増大させる技術も開発されているが、上記図５および図６に示した技術と比較して、抜け止め力が格段に増大するわけではない（特許文献２参照）。
【００１４】
更にまた、従来技術共通の懸案として、濾材５５の外周重ね合わせ部は一体化されていないことから、濾材５５の挟み込みが不十分な場合には、濾材５５の抜け以外に、濾材５５の重ね合わせ部から異物が流出する（濾材５５の内側に集束した異物が濾材５５の重ね合わせ部から流出する）虞がある。
【００１５】
更に近年、自動変速機は多段化ないし小型化の傾向にあり、より精密になってきており、変速機（変速装置）内で発生する異物は、オイルストレーナで確実に補足する必要がある。
【００１６】
また、過大負圧が発生するのは、何らかの原因で発生した多量の異物による濾材５５の目詰まりが原因であることが多く、この過大負圧によって濾材５５外周の固定部が抜けないようにし、異物のオイルストレーナからの流出を防止し、変速機（変速装置）の破損を最小限に抑えるニーズがある。
【００１７】
【特許文献１】特開２００４−２１８６９１号公報
【特許文献２】米国特許第５０４９２７４号公報
【発明の開示】
【発明が解決しようとする課題】
【００１８】
本発明は以上の点に鑑みて、濾材がケースの挟着部から抜け出るのを有効に防止することができ、しかも濾材の内側の集束した異物が濾材の外周重ね合わせ部から流出するのを有効に防止することができるオイルストレーナを提供することを目的とする。
【課題を解決するための手段】
【００１９】
上記目的を達成するため、本発明のオイルストレーナは、オイルの吸入口および吐出口を備えたケースの内部に濾材を配置したオイルストレーナであって、前記ケースを形成する一対のケース部材に濾材挟着部を設け、前記挟着部に前記濾材の外周重ね合わせ部を挟み込んでなるオイルストレーナにおいて、前記濾材の重ね合わせ部を溶融一体化して該部に厚みを増大させた抜け止め係合部を設け、前記抜け止め係合部を前記挟着部の外側に配置して前記挟着部に対して抜け止め係合したことを特徴とするものである。
【００２０】
上記構成を備えた本発明のオイルストレーナにおいては、濾材の外周重ね合わせ部が溶融一体化されて該部に厚みを増大させた抜け止め係合部が設けられ、この抜け止め係合部がケースの挟着部の外側に配置されて挟着部に対して抜け止め係合されることから、単に摩擦力のみではなく機械的係合による抜け止め構造が実現される。また、このように濾材の外周重ね合わせ部が溶融一体化されることから、濾材の内側に集束した異物の流出経路が閉塞されることになる。
【発明の効果】
【００２１】
本発明は、以下の効果を奏する。
【００２２】
すなわち、本発明のオイルストレーナにおいては、上記したように濾材の外周重ね合わせ部が溶融一体化されて該部に厚みを増大させた抜け止め係合部が設けられ、この抜け止め係合部が挟着部の外側に配置されて挟着部に対して抜け止め係合されることから、単に摩擦力によるのではなく機械的係合による抜け止め構造が構成される。したがって、濾材がケースの挟着部から抜け出るのを有効に防止することができる。また、濾材に孔を開けるものでないため、濾材が孔の周縁部から破れて破損することがない。
【００２３】
また、上記したように濾材の外周重ね合わせ部が溶融一体化されて、濾材の内側に集束した異物の流出経路が閉塞されることから、濾材の内側に集束した異物が濾材の重ね合わせ部から流出するのを有効に防止することができる。
【発明を実施するための最良の形態】
【００２４】
尚、本発明には、以下の実施形態が含まれる。
構成・・・
濾材の外周重ね合わせ部を熱等にて溶融させ一体化するとともに上下方向（重ね合わせ方向）に凸が出るような形状を形成する。一方、ケースには、前記濾材の外周に形成した凸形状を引っ掛けるような空間を設ける。
作用効果・・・
上記構成によれば、以下の作用効果が発揮される。
（１）濾材を溶融一体化しているので、濾材の外周重ね合わせ部は完全にシールされており、よって異物の流出がない。
（２）濾材外周に形成した凸形状とケースに設けた空間によって物理的に引っかかる形態であるため、大きな抜け荷重が作用しても濾材が抜けることはない。
（３）濾材に孔を開けるものでないため、抜け荷重作用時に応力集中が発生しない。したがって濾材が破れることがなく、信頼性が格段に向上する。
（４）以上、従来品対比にて、濾材の抜け防止および異物の流出防止の効果が向上し、初期および長期的に耐久性に優れたオイルストレーナを提供することができる。
【実施例】
【００２５】
つぎに本発明の実施例を図面にしたがって説明する。
【００２６】
図１は、本発明の実施例に係るオイルストレーナ１の断面を示しており、図２はその要部拡大図を示している。
【００２７】
当該実施例に係るオイルストレーナ１は、以下のように構成されている。
【００２８】
すなわち先ず、オイルの吸込口３および吐出口４を備えた中空のケース２が設けられており、このケース２の内部にフィルタとして機能する不織布等よりなる濾材（濾過部材とも称する）５が配置されて、ケース２の内部を吸込口３から吐出口４へと流れるオイルに含まれるスケール等の異物を濾過するように構成されている。
【００２９】
（１）ケース２
上記ケース２は、吸込口３を設けた樹脂製の下側ケース部材（ロアーケースとも称する）６と、吐出口４を設けた同じく樹脂製の上側ケース部材（アッパーケースとも称する）７との組み合わせにより構成されており、両ケース部材６，７はその周縁部において互いに溶着されることにより一体化されている。
【００３０】
（２）溶着部８
このため、両ケース部材６，７の周縁部には、上側ケース部材７に設けた溶着用凸部９と、下側ケース部材６に設けた溶着用凹部１０との組み合わせよりなる溶着部８が全周に亙って設けられている。凸部９と凹部１０の配置は上下反対であっても良い。
【００３１】
（３）濾材挟着部１１
上記溶着部８の内側（図２において左側）に位置して上下のケース部材６，７の対向面には、両ケース部材６，７間に濾材５の周縁部を挟み込むための濾材挟着部１１が設けられており、この挟着部１１は、両ケース部材６，７にそれぞれ設けた挟着用凸部１２，１３の組み合わせにより構成されている。一対の挟着用凸部１２，１３は互いに対向するように配置され、かつ両凸部１２，１３間には濾材５を挟み込むための所定の間隙ｃが設定されている。また、挟着部１１と溶着部８との間には空間部１４が設けられている。
【００３２】
（４）濾材５
図３に単品にて示すように、濾材５は、例えば不織布よりなる平面状シート材を二つ折りにして、その折り返し端部５ａとは反対側の開放端部５ｃと左右両側の側辺部５ｄとを上下のケース部材６，７の溶着時に挟着用凸部１２，１３間に挟み込んで袋状とされるものであって、このように袋状とされる濾材５が吸込口３から吐出口４へと向かうケース２内の流路を遮るように配置されている。したがってこの袋状の濾材５によりケース２内部の空間は、濾材５の内側空間１５と外側空間１６とに仕切られている。
【００３３】
また、この袋状の濾材５の内側空間１５へ吸込口３からオイルを直接導入することができるように濾材５の下面部には透孔１７が設けられており、この透孔１７はその周縁部１７ａが、吸込口３の内側に設けたフランジ部１８に固定されている。
【００３４】
また、当該実施例においては特に、図４（Ａ）から（Ｂ）へと示すように、上記濾材５における外周重ね合わせ部５ｂを構成する開放端部５ｃおよび左右両側の側辺部５ｄがそれぞれ上下二枚重ねにて溶融一体化されて、この外周重ね合わせ部５ｂに、厚みｔ２を増大させた抜け止め係合部１９が設けられており、図２に示したように、この抜け止め係合部１９が挟着部１１の外側（図２において右側）に配置されて空間部１４に収容されることにより挟着部１１に対してケース２の内方（図２において左方）へ向けて抜け止め係合されている。
【００３５】
抜け止め係合部１９の厚みｔ２は、濾材二枚重ね分の厚みｔ１×２（但し、ｔ１は濾材一枚分の厚み）よりも大きく設定され（ｔ２＞ｔ１×２）、かつ挟着部１１に対する抜け止め係合部１９の機械的係合を実現するように上記一対の挟着用凸部１２，１３間の間隙ｃよりも大きく設定されている（ｔ２＞ｃ）。
【００３６】
上記構成のオイルストレーナ１を組み立てるに際しては先ず、濾材５の透孔周縁部１７ａを下側ケース部材６の吸込口３の内側に設けたフランジ部１８に固定する。固定は溶着により行ない、例えば超音波溶着を実施する。次いで、図３に示したように平面状シート材よりなる濾材５を二つ折りにしてその開放端部５ｃおよび左右両側の側辺部５ｄを重ね合わせて外周重ね合わせ部５ｂとし、この外周重ね合わせ部５ｂを加熱し溶融一体化して抜け止め係合部１９を形成する。次いで、この抜け止め係合部１９を下側ケース部材６における空間部１４に位置させ、上側ケース部材６を被せ、この状態で上下のケース部材６，７を溶着部８において溶着する。溶着としては例えば、超音波溶着を実施する。したがってこれにより両ケース部材６，７は溶着部８にて互いに溶着され、濾材５はその抜け止め係合部１９が挟着部１１の外側に配置されて挟着部１１に対し抜け止め係合される。
【００３７】
上記構成のオイルストレーナ１は、上記構成により以下の作用効果を奏する点に特徴を有している。
【００３８】
すなわち先ず、上記したように濾材５の外周重ね合わせ部５ｂが溶融一体化されてこの外周重ね合わせ部５ｂに厚みを増大させた抜け止め係合部１９が設けられ、この抜け止め係合部１９がケース２の挟着部１１の外側に配置されて挟着部１１に対して抜け止め係合される構造であることから、上記従来技術のように単に摩擦力によるのではなく、機械的係合による抜け止め構造が構成されている。したがって、濾材５がケース２の挟着部１１から抜け出るのを有効に防止することができる。また、濾材５に孔を開けるものでないことから、濾材５が孔の周縁部から破れて破損することがない。
【００３９】
また、濾材５の外周重ね合わせ部５ｂが溶融一体化されて、濾材５の内側（内側空間１５）に集束した異物の流出経路が閉塞されることから、濾材５の内側に集束した異物が濾材５の重ね合わせ部５ｂから流出するのを有効に防止することができる。
【００４０】
尚、上記実施例に係るオイルストレーナ１については、本発明の目的を実現可能な範疇において様々な変更を加えることが可能である。
【００４１】
例えば、上記実施例では、図４（Ａ）に示したように、濾材５の外周重ね合わせ部５ｂを平面的に重ね合わせた状態で溶融一体化することにより抜け止め係合部１９を形成したが、図５に示すように、外周重ね合わせ部５ｂにおける上下の濾材５の端面部５ｅ同士を突き合わせた状態にて溶融一体化することにより抜け止め係合部１９を形成することにしても良く、このようにして抜け止め係合部１９を形成しても抜け止め係合部１９の厚みｔ２を濾材二枚重ね分の厚みｔ１×２（但し、ｔ１は濾材一枚分の厚み）よりも大きく設定することができる（ｔ２＞ｔ１×２）。尚、この場合には、抜け止め係合部１９の内部に中空部２０が形成されるので、この中空部２０を異物溜まりとして利用することが可能である。
【図面の簡単な説明】
【００４２】
【図１】本発明の実施例に係るオイルストレーナの断面図
【図２】図１の要部拡大図
【図３】濾材の二つ折り状態を示す説明図
【図４】溶融一体化による抜け止め係合部の成形方法を示す説明図
【図５】本発明の他の実施例に係るオイルストレーナの断面図
【図６】従来例に係るオイルストレーナの断面図
【図７】図６の要部拡大図
【図８】他の従来例に係るオイルストレーナの要部断面図
【図９】他の従来例に係るオイルストレーナの要部断面図
【符号の説明】
【００４３】
１  オイルストレーナ
２  ケース
３  吸込口
４  吐出口
５  濾材
５ａ  折り返し端部
５ｂ  外周重ね合わせ部
５ｃ  開放端部
５ｄ  側辺部
５ｅ  端面部
６  下側ケース部材
７  上側ケース部材
８  溶着部
９  溶着用凸部
１０  溶着用凹部
１１  濾材挟着部
１２，１３  挟着用凸部
１４  空間部
１５  内側空間
１６  外側空間
１７  透孔
１７ａ  周縁部
１８  フランジ部
１９  抜け止め係合部
２０  中空部
ｃ  間隙
ｔ１  濾材一枚分の厚み
ｔ２  抜け止め係合部の厚み
【図１】
2006205047.tif 000003
【図２】
2006205047.tif 000004
【図３】
2006205047.tif 000005
【図４】
2006205047.tif 000006
【図５】
2006205047.tif 000007
【図６】
2006205047.tif 000008
【図７】
2006205047.tif 000009
【図８】
2006205047.tif 000010
【図９】
2006205047.tif 000011
【手続補正書】
【提出日】平成17年2月22日(2005.2.22)
【手続補正１】
【補正対象書類名】図面
【補正対象項目名】図１
【補正方法】変更
【補正の内容】
【図１】
2006205047.tif 000012
【手続補正２】
【補正対象書類名】図面
【補正対象項目名】図２
【補正方法】変更
【補正の内容】
【図２】
2006205047.tif 000013
【手続補正３】
【補正対象書類名】図面
【補正対象項目名】図３
【補正方法】変更
【補正の内容】
【図３】
2006205047.tif 000014
【手続補正４】
【補正対象書類名】図面
【補正対象項目名】図４
【補正方法】変更
【補正の内容】
【図４】
2006205047.tif 000015
【手続補正５】
【補正対象書類名】図面
【補正対象項目名】図５
【補正方法】変更
【補正の内容】
【図５】
2006205047.tif 000016
【手続補正６】
【補正対象書類名】図面
【補正対象項目名】図８
【補正方法】変更
【補正の内容】
【図８】
2006205047.tif 000017
【手続補正７】
【補正対象書類名】図面
【補正対象項目名】図９
【補正方法】変更
【補正の内容】
【図９】
2006205047.tif 000018